(57)【要約】【課題】複数のユーザに対して与える煩わしさを低減しつつ、当該複数のユーザに対して効果的なコンテンツを閲覧させる技術を提供する。【解決手段】表示装置により表示されるコンテンツを閲覧可能な位置に存在すると推定される通信端末を認識する端末認識部５１１と、端末認識部５１１により複数のユーザそれぞれの通信端末が認識された場合、複数のユーザそれぞれのコンテンツ閲覧履歴に基づいて、表示装置に表示させるコンテンツを決定するコンテンツ決定部５１２と、を備える、コンテンツ制御装置５００が提供される。【選択図】図４
2014165806.tif 000002
【特許請求の範囲】
【請求項１】
表示装置により表示されるコンテンツを閲覧可能な位置に存在すると推定される通信端末を認識する端末認識部と、
前記端末認識部により複数のユーザそれぞれの通信端末が認識された場合、前記複数のユーザそれぞれのコンテンツ閲覧履歴に基づいて、前記表示装置に表示させるコンテンツを決定するコンテンツ決定部と、
を備える、コンテンツ制御装置。
【請求項２】
前記コンテンツ閲覧履歴は、前記表示装置または前記表示装置とは異なる表示装置により表示されたコンテンツに関してユーザにより通信端末に入力された入力情報に基づいて生成される、
請求項１に記載のコンテンツ制御装置。
【請求項３】
前記コンテンツ閲覧履歴は、ユーザにより閲覧されたコンテンツにおける閲覧開始位置から閲覧終了位置までの閲覧範囲を含み、
前記コンテンツ決定部は、前記複数のユーザそれぞれのコンテンツ閲覧履歴に含まれる前記閲覧範囲に基づいて、前記コンテンツにおける再生開始位置を決定する、
請求項２に記載のコンテンツ制御装置。
【請求項４】
前記閲覧開始位置および前記閲覧終了位置のうちの少なくともいずれか一方は、前記コンテンツにおいて前記入力情報が入力された時点に再生されていた位置に基づいて決定される、
請求項３に記載のコンテンツ制御装置。
【請求項５】
前記コンテンツ決定部は、前記コンテンツのうち前記複数のユーザそれぞれのコンテンツ閲覧履歴に含まれる閲覧範囲のいずれにも属さない範囲における所定の位置を前記コンテンツにおける再生開始位置として決定する、
請求項３に記載のコンテンツ制御装置。
【請求項６】
前記所定の位置は、前記コンテンツのうち前記複数のユーザそれぞれのコンテンツ閲覧履歴に含まれる閲覧範囲のいずれにも属さない範囲における先頭位置である、
請求項５の記載のコンテンツ制御装置。
【請求項７】
前記コンテンツ閲覧履歴は、ユーザにより閲覧されたコンテンツを識別するためのコンテンツ識別情報を含み、
前記コンテンツ決定部は、前記複数のユーザそれぞれのコンテンツ閲覧履歴に含まれる前記コンテンツ識別情報に基づいて、前記表示装置に表示させるコンテンツを選択する、
請求項２に記載のコンテンツ制御装置。
【請求項８】
ユーザにより閲覧されたコンテンツは、前記入力情報が入力された時点に再生されていたコンテンツに基づいて決定される、
請求項７に記載のコンテンツ制御装置。
【請求項９】
前記コンテンツ決定部は、前記複数のユーザそれぞれのコンテンツ閲覧履歴に含まれるコンテンツ識別情報により識別されるコンテンツのいずれかに関連するコンテンツを前記表示装置に表示させるコンテンツとして選択する、
請求項７に記載のコンテンツ制御装置。
【請求項１０】
前記入力情報は、前記コンテンツに対するユーザの評価結果を含む、
請求項２に記載のコンテンツ制御装置。
【請求項１１】
前記コンテンツ閲覧履歴は、前記端末認識部による通信端末の認識結果に基づいて生成される、
請求項１に記載のコンテンツ制御装置。
【請求項１２】
前記コンテンツ決定部は、前記複数のユーザのうち前記表示装置により近いユーザのコンテンツ閲覧履歴を優先的に用いて、前記表示装置に表示させるコンテンツを決定する、
請求項１に記載のコンテンツ制御装置。
【請求項１３】
前記端末認識部は、前記コンテンツ制御装置が通信制御装置と通信可能である場合、前記通信制御装置と接続されている前記通信端末を、前記表示装置により表示されるコンテンツを閲覧可能な位置に存在すると推定される通信端末として認識する、
請求項１に記載のコンテンツ制御装置。
【発明の詳細な説明】
【技術分野】
【０００１】
本発明は、コンテンツ制御装置に関するものである。
【背景技術】
【０００２】
近年、デジタルサイネージ用のディスプレイ装置をはじめとして、公共の場所、金融機関、空港ロビーなどに、複数のディスプレイ装置が配置されている。デジタルサイネージは、サイネージサーバからネットワークを介して配信された映像などの情報をディスプレイ装置に表示し、ディスプレイ装置に表示された情報をユーザに閲覧させる仕組みを言う。このデジタルサイネージは、紙媒体のポスターなどに比べて、効果的に宣伝広告が実現できるとして急速に普及している。
【０００３】
このような広告コンテンツの表示技術としては様々な技術が開示されている（例えば、特許文献１〜３参照）。例えば、特許文献１には、ディスプレイ装置に表示された広告コンテンツを視聴した可能性の高いユーザを特定し、そのユーザの携帯端末に広告コンテンツを提供することができる技術が開示されている。かかる技術により、ディスプレイ装置に表示された広告コンテンツをシームレスに携帯端末に表示させることができる。
【先行技術文献】
【特許文献】
【０００４】
【特許文献１】特開２０１１−８６２１３号公報
【特許文献２】特開２００７−２３５９９２号公報
【特許文献３】特開２００９−２１０８８７号公報
【発明の概要】
【発明が解決しようとする課題】
【０００５】
しかしながら、特許文献１に開示された技術では、デジタルサイネージの効果的な宣伝広告の実現が不十分である。例えば、ディスプレイ装置が備える表示画面に表示されたコンテンツを携帯端末が備えた表示画面に表示させても、ディスプレイ装置と携帯端末とでは表示画面のサイズが異なるため、デジタルサイネージの効果的な宣伝広告ができるとは限らない。また、ユーザの所持している携帯端末に予期せぬ情報がプッシュされることに対しては、ユーザが煩わしさを感じる可能性もある。
【０００６】
また、一人ないし複数のユーザが一時的に特定のディスプレイ装置を占有し、ディスプレイ装置に表示される広告コンテンツを切り替えることも可能になりつつある。
【０００７】
そこで、本発明は、上記問題に鑑みてなされたものであり、本発明の目的とするところは、複数のユーザに対して与える煩わしさを低減しつつ、当該複数のユーザに対して効果的なコンテンツを閲覧させる技術を提供することにある。
【課題を解決するための手段】
【０００８】
上記問題を解決するために、本発明のある観点によれば、表示装置により表示されるコンテンツを閲覧可能な位置に存在すると推定される通信端末を認識する端末認識部と、前記端末認識部により複数のユーザそれぞれの通信端末が認識された場合、前記複数のユーザそれぞれのコンテンツ閲覧履歴に基づいて、前記表示装置に表示させるコンテンツを決定するコンテンツ決定部と、を備える、コンテンツ制御装置が提供される。
【０００９】
前記コンテンツ閲覧履歴は、前記表示装置または前記表示装置とは異なる表示装置により表示されたコンテンツに関してユーザにより通信端末に入力された入力情報に基づいて生成されてもよい。
【００１０】
前記コンテンツ閲覧履歴は、ユーザにより閲覧されたコンテンツにおける閲覧開始位置から閲覧終了位置までの閲覧範囲を含み、前記コンテンツ決定部は、前記複数のユーザそれぞれのコンテンツ閲覧履歴に含まれる前記閲覧範囲に基づいて、前記コンテンツにおける再生開始位置を決定してもよい。
【００１１】
前記閲覧開始位置および前記閲覧終了位置のうちの少なくともいずれか一方は、前記コンテンツにおいて前記入力情報が入力された時点に再生されていた位置に基づいて決定されてもよい。
【００１２】
前記コンテンツ決定部は、前記コンテンツのうち前記複数のユーザそれぞれのコンテンツ閲覧履歴に含まれる閲覧範囲のいずれにも属さない範囲における所定の位置を前記コンテンツにおける再生開始位置として決定してもよい。
【００１３】
前記所定の位置は、前記コンテンツのうち前記複数のユーザそれぞれのコンテンツ閲覧履歴に含まれる閲覧範囲のいずれにも属さない範囲における先頭位置であってもよい。
【００１４】
前記コンテンツ閲覧履歴は、ユーザにより閲覧されたコンテンツを識別するためのコンテンツ識別情報を含み、前記コンテンツ決定部は、前記複数のユーザそれぞれのコンテンツ閲覧履歴に含まれる前記コンテンツ識別情報に基づいて、前記表示装置に表示させるコンテンツを選択してもよい。
【００１５】
ユーザにより閲覧されたコンテンツは、前記入力情報が入力された時点に再生されていたコンテンツに基づいて決定されてもよい。
【００１６】
前記コンテンツ決定部は、前記複数のユーザそれぞれのコンテンツ閲覧履歴に含まれるコンテンツ識別情報により識別されるコンテンツのいずれかに関連するコンテンツを前記表示装置に表示させるコンテンツとして選択してもよい。
【００１７】
前記入力情報は、前記コンテンツに対するユーザの評価結果を含んでもよい。
【００１８】
前記コンテンツ閲覧履歴は、前記端末認識部による通信端末の認識結果に基づいて生成されてもよい。
【００１９】
前記コンテンツ決定部は、前記複数のユーザのうち前記表示装置により近いユーザのコンテンツ閲覧履歴を優先的に用いて、前記表示装置に表示させるコンテンツを決定してもよい。
【００２０】
前記端末認識部は、前記コンテンツ制御装置が通信制御装置と通信可能である場合、前記通信制御装置と接続されている前記通信端末を、前記表示装置により表示されるコンテンツを閲覧可能な位置に存在すると推定される通信端末として認識してもよい。
【発明の効果】
【００２１】
以上説明したように本発明によれば、複数のユーザに対して与える煩わしさを低減しつつ、当該複数のユーザに対して効果的なコンテンツを閲覧させることが可能である。
【図面の簡単な説明】
【００２２】
【図１】本発明の実施形態に係るコンテンツ制御システムの構成を示す図である。
【図２】本発明の実施形態に係る表示装置により表示されるコンテンツを閲覧可能な位置について説明するための図である。
【図３】本発明の実施形態に係る表示制御装置の機能構成例を示す図である。
【図４】本発明の実施形態に係るコンテンツ制御装置の機能構成例を示す図である。
【図５】本発明の実施形態に係る通信端末の機能構成例を示す図である。
【図６】本発明の実施形態に係るコンテンツ制御装置の記憶部により記憶されるコンテンツ情報の構成例を示す図である。
【図７】本発明の実施形態に係るコンテンツ制御装置の記憶部により記憶される装置別データの構成例を示す図である。
【図８Ａ】本発明の実施形態に係る通信端末の記憶部により記憶されるコンテンツ閲覧履歴の構成例を示す図である。
【図８Ｂ】本発明の実施形態に係る通信端末の記憶部により記憶されるコンテンツ閲覧履歴の構成例を示す図である。
【図９】本発明の実施形態に係るコンテンツ制御装置の動作の流れの例を示す図である。
【図１０】本発明の実施形態に係る通信端末の動作の流れの例を示す図である。
【図１１】本発明の実施形態に係る表示制御装置の動作の流れの例を示す図である。
【発明を実施するための形態】
【００２３】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２４】
また、本明細書および図面において、実質的に同一の機能構成を有する複数の構成要素を、同一の符号の後に異なるアルファベットまたは数字を付して区別する場合もある。ただし、実質的に同一の機能構成を有する複数の構成要素の各々を特に区別する必要がない場合、同一符号のみを付する。
【００２５】
［構成の説明］
まず、本発明の実施形態に係るコンテンツ制御システム１０の構成について説明する。図１は、本発明の実施形態に係るコンテンツ制御システム１０の構成を示す図である。図１に示すように、コンテンツ制御システム１０は、表示装置１００‐１〜１００−ｎを備える。本実施形態においては、所定の空間内にｎ台の表示装置１００が設置されている場合を想定する。ここで、例えば、ｎは自然数（すなわち、１以上の整数）であればよい。所定の空間は特に限定されないが、例えば、公共の場所、金融機関、空港ロビーなどであってもよい。以下では、表示装置１００‐１〜１００−ｎにおける任意の表示装置を「表示装置１００」と記載することもある。
【００２６】
その他、コンテンツ制御システム１０は、通信制御装置２００‐１〜２００−ｎと、表示制御装置３００‐１〜３００−ｎと、ネットワーク４００と、コンテンツ制御装置５００とを備える。以下では、表示装置１００と同様に、通信制御装置２００‐１〜２００−ｎにおける任意の通信制御装置を「通信制御装置２００」と記載し、表示制御装置３００‐１〜２００−ｎにおける任意の表示制御装置を「表示制御装置３００」と記載することもある。
【００２７】
図１に示すように、表示制御装置３００は、表示装置１００および通信制御装置２００と接続されており、通信制御装置２００およびコンテンツ制御装置５００は、ネットワーク４００に接続されている。ネットワーク４００は、例えば、インターネットにより構成される。
【００２８】
表示装置１００は、表示制御装置３００による制御に従って、コンテンツを表示する機能を有する。ここで、表示装置１００の種類は特に限定されないが、例えば、ＬＣＤ（Ｌｉｑｕｉｄ  Ｃｒｙｓｔａｌ  Ｄｉｓｐｌａｙ）であってもよいし、プラズマディスプレイであってもよい。表示装置１００により表示されるコンテンツの種類は特に限定されないが、例えば、画像データ（例えば、静止画データ、動画データなど）であってもよいし、テキストデータであってもよい。
【００２９】
通信制御装置２００は、コンテンツ制御装置５００と表示制御装置３００との間における通信を中継する機能を有する。ここで、通信制御装置２００は、例えば、無線ＬＡＮ（Ｌｏｃａｌ  Ａｒｅａ  Ｎｅｔｗｏｒｋ）のアクセスポイントにより構成されてもよい。かかる場合、通信制御装置２００は、ユーザが所持する通信端末６００と無線通信を行うことが可能であり、コンテンツ制御装置５００と通信端末６００との間における通信を中継することが可能である。
【００３０】
表示制御装置３００は、接続相手の表示装置１００によってコンテンツが表示されるように表示装置１００を制御する機能を有する。より詳細には、コンテンツを再生して得られた再生信号を表示装置１００に出力する。ここで、表示制御装置３００は、例えば、ＰＣ（Ｐｅｒｓｏｎａｌ  Ｃｏｍｐｕｔｅｒ）により構成されてもよく、例えば、サイネージ用のＰＣにより構成されてもよい。
【００３１】
コンテンツ制御装置５００は、表示装置１００により表示されるコンテンツを制御する機能を有する。より詳細には、コンテンツ制御装置５００は、表示装置１００に表示させるコンテンツを決定し、決定したコンテンツが表示制御装置３００に対して提供されるように制御する。本実施形態においては、コンテンツ制御装置５００により決定されたコンテンツがコンテンツ制御装置５００から表示制御装置３００に対して提供される例を示すが、コンテンツ制御装置５００とは異なる装置から表示制御装置３００に対して提供されてもよい。コンテンツ制御装置５００は、例えば、ＰＣにより構成されてもよい。
【００３２】
以上、本発明の実施形態に係るコンテンツ制御システム１０の構成について説明した。上記のように、表示装置１００によってコンテンツが表示される場合、通信端末６００を所持したユーザは、当該コンテンツを閲覧可能な位置に存在すれば、コンテンツを閲覧することが可能である。
【００３３】
続いて、本発明の実施形態に係る表示装置１００により表示されるコンテンツを閲覧可能な位置について説明する。図２は、本発明の実施形態に係る表示装置１００により表示されるコンテンツを閲覧可能な位置について説明するための図である。図２に示すように、表示装置１００は、表示部１１０を有しており、通信端末６００は、表示部６５０を有しているとする。また、上記したように、表示部１１０は、コンテンツを表示することが可能である。
【００３４】
ここで、図２に示すように、例えば、表示部１１０により表示されるコンテンツを閲覧可能な位置に通信端末６００が存在する場合には、通信端末６００を所持するユーザ自身も当該コンテンツを閲覧可能な位置に存在すると考えられる。したがって、当該コンテンツを閲覧可能な位置に通信端末６００が存在すると推定される場合には、その通信端末６００を所持するユーザは当該コンテンツを閲覧していると擬制することが可能である。ユーザによる当該コンテンツの閲覧は、コンテンツ閲覧履歴として登録され得る。
【００３５】
なお、表示部１１０により表示されるコンテンツを閲覧可能な位置に通信端末６００が存在するか否かを推定する手法の例については特に限定されない。例えば、通信端末６００が通信制御装置２００と無線接続されている場合、表示装置１００により表示されるコンテンツを閲覧可能な位置に通信端末６００が存在すると推定する手法を採用することが可能である。
【００３６】
以上、本発明の実施形態に係る表示装置１００により表示されるコンテンツを閲覧可能な位置について説明した。
【００３７】
続いて、本発明の実施形態に係る表示制御装置３００の機能構成例について説明する。図３は、本発明の実施形態に係る表示制御装置３００の機能構成例を示す図である。図３に示すように、本発明の実施形態に係る表示制御装置３００は、制御部３１０、記憶部３２０および通信部３３０を備える。
【００３８】
制御部３１０は、表示制御装置３００の動作全体を制御する機能を有する。記憶部３２０は、制御部３１０を動作させるためのプログラムやデータを記憶することができる。また、記憶部３２０は、制御部３１０の動作の過程で必要となる各種データを一時的に記憶することもできる。通信部３３０は、制御部３１０による制御に従って他の装置と通信を行う機能を有する。例えば、通信部３３０は、通信制御装置２００を介してコンテンツ制御装置５００と通信を行う機能を有する。
【００３９】
なお、図３に示した例では、記憶部３２０および通信部３３０は、表示制御装置３００の内部に存在するが、記憶部３２０および通信部３３０は、表示制御装置３００の外部に備えられていてもよい。また、制御部３１０は、情報取得部３１１と、表示制御部３１２とを備える。制御部３１０が備えるこれらの各機能部の詳細については、後に説明する。
【００４０】
以上、本発明の実施形態に係る表示制御装置３００の機能構成例について説明した。続いて、本発明の実施形態に係るコンテンツ制御装置５００の機能構成例について説明する。
【００４１】
図４は、本発明の実施形態に係るコンテンツ制御装置５００の機能構成例を示す図である。図４に示すように、本発明の実施形態に係るコンテンツ制御装置５００は、制御部５１０、記憶部５２０および通信部５３０を備える。
【００４２】
制御部５１０は、コンテンツ制御装置５００の動作全体を制御する機能を有する。記憶部５２０は、制御部５１０を動作させるためのプログラムやデータ（例えば、コンテンツ情報５２１および装置別データ５２２）を記憶することができる。コンテンツ情報５２１および装置別データ５２２については、後に詳細に説明する。また、記憶部５２０は、制御部５１０の動作の過程で必要となる各種データを一時的に記憶することもできる。通信部５３０は、制御部５１０による制御に従って他の装置と通信を行う機能を有する。例えば、通信部５３０は、ネットワーク４００に接続された他の装置と通信を行う機能を有する。
【００４３】
なお、図４に示した例では、記憶部５２０および通信部５３０は、コンテンツ制御装置５００の内部に存在するが、記憶部５２０および通信部５３０は、コンテンツ制御装置５００の外部に備えられていてもよい。また、制御部５１０は、端末認識部５１１と、コンテンツ決定部５１２と、出力制御部５１３と、閲覧履歴取得部５１４とを備える。制御部５１０が備えるこれらの各機能部の詳細については、後に説明する。
【００４４】
以上、本発明の実施形態に係るコンテンツ制御装置５００の機能構成例について説明した。続いて、本発明の実施形態に係る通信端末６００の機能構成例について説明する。
【００４５】
図５は、本発明の実施形態に係る通信端末６００の機能構成例を示す図である。図５に示すように、本発明の実施形態に係る通信端末６００は、制御部６１０、記憶部６２０、通信部６３０、入力部６４０および表示部６５０を備える。
【００４６】
制御部６１０は、通信端末６００の動作全体を制御する機能を有する。記憶部６２０は、制御部６１０を動作させるためのプログラムやデータ（例えば、コンテンツ閲覧履歴６２１）を記憶することができる。コンテンツ閲覧履歴６２１については、後に詳細に説明する。また、記憶部６２０は、制御部６１０の動作の過程で必要となる各種データを一時的に記憶することもできる。通信部６３０は、制御部６１０による制御に従って通信制御装置２００と無線通信を行う機能を有する。入力部６４０は、ユーザによる操作の入力を受け付けて制御部６１０に提供する機能を有する。表示部６５０は、制御部６１０による制御に従って各種情報を表示する機能を有する。
【００４７】
なお、図５に示した例では、記憶部６２０、通信部６３０、入力部６４０および表示部６５０は、通信端末６００の内部に存在するが、記憶部６２０、通信部６３０、入力部６４０および表示部６５０は、通信端末６００の外部に備えられていてもよい。また、制御部６１０は、位置検出部６１１と、接続処理部６１２と、閲覧履歴提供部６１３と、閲覧履歴更新部６１４とを備える。制御部６１０が備えるこれらの各機能部の詳細については、後に説明する。
【００４８】
以上、本発明の実施形態に係る通信端末６００の機能構成例について説明した。続いて、本発明の実施形態に係るコンテンツ制御装置５００の記憶部５２０により記憶されるコンテンツ情報５２１の構成例について説明する。なお、コンテンツ情報５２１は、コンテンツ制御装置５００の管理者などの操作によってあらかじめ記憶部５２０に記録されていてもよく、記憶部５２０に記録されたコンテンツ情報５２１は、コンテンツ制御装置５００の管理者などの操作によって適宜更新されてもよい。
【００４９】
図６は、本発明の実施形態に係るコンテンツ制御装置５００の記憶部５２０により記憶されるコンテンツ情報５２１の構成例を示す図である。図６に示すように、コンテンツ情報５２１は、コンテンツの格納場所と、コンテンツを識別するためのコンテンツＩＤと、表示制御装置３００を識別するための表示制御装置ＩＤと、コンテンツの優先度とが関連付けられた情報である。例えば、コンテンツを取得する場合には、この格納場所によって示される場所からコンテンツを取得することが可能である。なお、図６に示した例では、優先度が「高」「低」の２段階で示されているが、優先度の段階は２段階以外であってもよい。
【００５０】
以上、本発明の実施形態に係るコンテンツ制御装置５００の記憶部５２０により記憶されるコンテンツ情報５２１の構成例について説明した。続いて、本発明の実施形態に係るコンテンツ制御装置５００の記憶部５２０により記憶される装置別データ５２２の構成例について説明する。なお、装置別データ５２２は、コンテンツ制御装置５００が動作している間に制御部５１０により更新され得る。
【００５１】
図７は、本発明の実施形態に係るコンテンツ制御装置５００の記憶部５２０により記憶される装置別データ５２２の構成例を示す図である。図７に示すように、装置別データ５２２は、表示制御装置３００を識別するための表示制御装置ＩＤと、表示制御装置３００により再生されているコンテンツを識別するためのコンテンツＩＤと、表示制御装置３００によりコンテンツの再生が開始された時刻を示す再生開始時刻と、当該コンテンツを閲覧可能な位置に存在すると推定される通信端末６００を識別するための通信端末ＩＤとが関連付けられた情報である。
【００５２】
以上、本発明の実施形態に係るコンテンツ制御装置５００の記憶部５２０により記憶される装置別データ５２２の構成例について説明した。続いて、本発明の実施形態に係る通信端末６００の記憶部６２０により記憶されるコンテンツ閲覧履歴６２１の構成例について説明する。なお、コンテンツ閲覧履歴６２１は、通信端末６００が動作している間に制御部６１０により更新され得る。
【００５３】
図８Ａおよび図８Ｂは、本発明の実施形態に係る通信端末６００の記憶部６２０により記憶されるコンテンツ閲覧履歴６２１の構成例を示す図である。特に、図８Ａは、第１のユーザが所持する通信端末６００−１の記憶部６２０により記憶されるコンテンツ閲覧履歴６２１−１の構成例を示す図である。図８Ｂは、第２のユーザが所持する通信端末６００−２の記憶部６２０により記憶されるコンテンツ閲覧履歴６２１−２の構成例を示す図である。
【００５４】
なお、ここでは、複数のユーザの例として、第１のユーザと第２のユーザとが存在する場合を例として示しているが、ユーザの数は複数であれば特に限定されない。ここでは、一例として、第１のユーザが所持する通信端末６００−１の記憶部６２０により記憶されるコンテンツ閲覧履歴６２１−１について説明し、第２のユーザが所持する通信端末６００−２の記憶部６２０により記憶されるコンテンツ閲覧履歴６２１−２についての詳細な説明を割愛する。
【００５５】
図８Ａに示すように、コンテンツ閲覧履歴６２１−１は、第１のユーザが一部または全部を閲覧したコンテンツを識別するためのコンテンツＩＤと、そのコンテンツのうち第１のユーザによって閲覧された範囲に相当する閲覧範囲と、第１のユーザがそのコンテンツを全部閲覧したか否かを示す閲覧済みフラグと、そのコンテンツを再生して表示装置１００に表示させた表示制御装置３００を識別するための表示制御装置ＩＤとが関連付けられた情報である。
【００５６】
図８Ａに示すように、閲覧範囲はコンテンツにおける閲覧開始位置から閲覧終了位置までの範囲に相当する。閲覧開始位置および閲覧終了位置それぞれは、例えば、コンテンツにおける所定位置（例えば、先頭位置）を基準とした再生位置（例えば、分秒）によって表現される。また、閲覧済みフラグに設定される値としては、第１のユーザがそのコンテンツを全部閲覧したことを示す「ＴＲＵＥ」、第１のユーザがそのコンテンツを全部は閲覧していないことを示す「ＦＡＬＳＥ」が挙げられる。
【００５７】
なお、本実施形態においては、コンテンツ閲覧履歴６２１が通信端末６００の記憶部６２０によって記憶される場合について主に説明する。しかし、複数の通信端末６００それぞれのコンテンツ閲覧履歴６２１は、例えば、コンテンツ制御装置５００の記憶部５２０によって記憶されてもよい。かかる場合には、コンテンツ閲覧履歴６２１は、ユーザ（あるいは、ユーザが所持する通信端末６００）ごとに記憶部５２０によって記憶されてもよい。
【００５８】
以上、本発明の実施形態に係る通信端末６００の記憶部６２０により記憶されるコンテンツ閲覧履歴６２１の構成例について説明した。
【００５９】
［動作の説明］
続いて、本発明の実施形態に係るコンテンツ制御装置５００の動作の流れの例について説明する。図９は、本発明の実施形態に係るコンテンツ制御装置５００の動作の流れの例を示す図である。なお、図９に示した動作の流れの例は、コンテンツ制御装置５００の動作の流れの例に過ぎないため、コンテンツ制御装置５００の動作は、図９に示した例に限定されないことは言うまでもない。
【００６０】
まず、コンテンツ制御装置５００のコンテンツ決定部５１２は、表示制御装置３００に提供するコンテンツと再生開始位置とを決定する（ステップＳ１）。なお、ここでは、コンテンツ決定部５１２がコンテンツと再生開始位置との双方を決定することとしているが、コンテンツ決定部５１２は、コンテンツと再生開始位置とのうちのいずれか一方のみを決定してもよい。
【００６１】
例えば、コンテンツ決定部５１２は、コンテンツに関連付けられている優先度に基づいてコンテンツを決定してもよい。例えば、コンテンツ決定部５１２は、優先度が最も高いコンテンツを決定してもよい。例えば、図６に示すようなコンテンツ情報５２１を参照する場合には、コンテンツ決定部５１２は、表示制御装置ＩＤが「４」である表示制御装置３００に提供するコンテンツとして、コンテンツＩＤが「１」である動画データと、コンテンツＩＤが「２」である静止画データとを候補として決定する。
【００６２】
しかし、コンテンツＩＤが「１」である動画データの優先度が最も高いため、コンテンツ決定部５１２は、表示制御装置ＩＤが「４」である表示制御装置３００に提供するコンテンツとして、コンテンツＩＤが「１」であるコンテンツを候補のコンテンツから決定することができる。
【００６３】
出力制御部５１３は、当該コンテンツを識別するためのコンテンツＩＤと再生開始位置とを表示制御装置３００に通知する（ステップＳ２）。なお、出力制御部５１３は、コンテンツ決定部５１２によりコンテンツと再生開始位置とのうちのいずれか一方のみが決定された場合には、当該一方のみを表示制御装置３００に通知してもよい。
【００６４】
続いて、端末認識部５１１は、表示装置１００により表示されるコンテンツを閲覧可能な位置に存在すると推定される通信端末６００を認識する。例えば、上記したように、端末認識部５１１は、通信端末６００が通信制御装置２００と接続されている場合、表示装置１００により表示されるコンテンツを閲覧可能な位置に通信端末６００が存在すると推定する手法を採用することが可能である。
【００６５】
制御部５１０は、通信制御装置２００に通信端末６００が接続されていない場合には（ステップＳ３で「Ｎｏ」）、ステップＳ３に戻るが、通信制御装置２００に通信端末６００が接続された場合には（ステップＳ３で「Ｙｅｓ」）、ステップＳ４に進む。ここで、例えば、通信制御装置２００に通信端末６００が接続された場合に通信端末６００から通信制御装置２００を介して接続要求がコンテンツ制御装置５００に通知されれば、制御部５１０は、接続要求が通知されたか否かによって通信制御装置２００に通信端末６００が接続されたか否かを判断することが可能である。
【００６６】
続いて、通信端末６００からコンテンツ閲覧履歴６２１が提供された場合には、閲覧履歴取得部５１４は、通信端末６００からコンテンツ閲覧履歴６２１を取得する。制御部５１０は、通信端末６００からコンテンツ閲覧履歴６２１が取得されていない場合には（ステップＳ４で「Ｎｏ」）、ステップＳ３に戻るが、通信端末６００からコンテンツ閲覧履歴６２１が取得された場合には（ステップＳ４で「Ｙｅｓ」）、ステップＳ５に進む。
【００６７】
続いて、コンテンツ決定部５１２は、閲覧履歴取得部５１４により取得されたコンテンツ閲覧履歴６２１に基づいて、表示制御装置３００に提供するコンテンツを決定する（ステップＳ５）。なお、ここでは、コンテンツ決定部５１２がコンテンツと再生開始位置との双方を決定することとしているが（ステップＳ５）、コンテンツ決定部５１２は、コンテンツと再生開始位置とのうちのいずれか一方のみを決定してもよい。
【００６８】
例えば、コンテンツ決定部５１２は、端末認識部５１１により複数のユーザそれぞれの通信端末６００が認識された場合、当該複数のユーザそれぞれのコンテンツ閲覧履歴６２１に基づいて、表示装置１００に表示させるコンテンツを決定することができる。
【００６９】
再生開始位置の決定手法としては、様々な手法を採用することができる。例えば、コンテンツ閲覧履歴６２１が閲覧範囲を含む場合、コンテンツ決定部５１２は、当該複数のユーザそれぞれのコンテンツ閲覧履歴６２１に含まれる閲覧範囲に基づいて、コンテンツにおける再生開始位置を決定してもよい。
【００７０】
例えば、コンテンツ決定部５１２は、コンテンツのうち複数のユーザそれぞれのコンテンツ閲覧履歴６２１に含まれる閲覧範囲のいずれにも属さない範囲における所定の位置をコンテンツにおける再生開始位置として決定してもよい。
【００７１】
ここで、所定の位置は特に限定されないが、例えば、コンテンツのうち複数のユーザそれぞれのコンテンツ閲覧履歴６２１に含まれる閲覧範囲のいずれにも属さない範囲における先頭位置であってもよい。
【００７２】
また、コンテンツの決定手法としては、様々な手法を採用することができる。例えば、コンテンツ閲覧履歴６２１がユーザにより閲覧されたコンテンツを識別するためのコンテンツ識別情報を含む場合、コンテンツ決定部５１２は、当該複数のユーザそれぞれのコンテンツ閲覧履歴６２１に含まれるコンテンツ識別情報に基づいて、表示装置１００に表示させるコンテンツを選択してもよい。
【００７３】
ここで、具体的なデータを参照して説明する。例えば、コンテンツ決定部５１２が、図８Ａに示されたコンテンツ閲覧履歴６２１−１と、図８Ｂに示されたコンテンツ閲覧履歴６２１−２とを取得した場合には、ＦＩＦＯ（Ｆｉｒｓｔ  Ｉｎ  Ｆｉｒｓｔ  Ｏｕｔ）の規則に従うと、コンテンツＩＤが「３」であるコンテンツを決定することができる。また、コンテンツ決定部５１２は、コンテンツＩＤが「３」であるコンテンツのうち、「０分３５秒」から「１分１０秒」までの範囲はいずれのユーザにも閲覧されていないと判断することができる。したがって、コンテンツ決定部５１２は、この範囲の先頭位置である「０分３５秒」を再生開始位置と決定することができる。
【００７４】
このようにして再生開始位置が決定されれば、コンテンツ決定部５１２は、いずれのユーザにも閲覧されていない範囲を表示装置１００に表示させる範囲として決定することが可能となる。また、このようにして再生開始位置が決定されれば、コンテンツ決定部５１２は、ユーザに途中までしか閲覧されていないコンテンツの数を低減させることが可能となる。
【００７５】
以上、具体的なデータを参照して説明した。例えば、コンテンツ決定部５１２は、複数のユーザそれぞれのコンテンツ閲覧履歴６２１に含まれるコンテンツ識別情報により識別されるコンテンツのいずれかに関連するコンテンツを表示装置１００に表示させるコンテンツとして選択してもよい。複数のコンテンツがあらかじめ関連付けられている場合には、当該複数のコンテンツは関連していると判断され得る。例えば、複数のコンテンツの再生順序が定められている場合には、次に再生されるコンテンツが関連コンテンツの例として挙げられる。
【００７６】
また、コンテンツ決定部５１２は、複数のユーザそれぞれのコンテンツ閲覧履歴６２１を同等に扱ってもよいが、いずれかのユーザのコンテンツ閲覧履歴６２１を優先的に扱ってもよい。例えば、コンテンツ決定部５１２は、複数のユーザのうち表示装置１００により近いユーザのコンテンツ閲覧履歴６２１を優先的に用いて、表示装置１００に表示させるコンテンツを決定してもよい。表示装置１００に近いユーザほど表示装置１００に表示されるコンテンツを閲覧しやすいと考えられるからである。
【００７７】
例えば、コンテンツ決定部５１２は、複数のユーザそれぞれの通信端末６００が備える位置検出部６１１により検出された位置とあらかじめ登録された表示装置１００の位置との距離を算出してもよい。その後、コンテンツ決定部５１２は、距離が最小となる通信端末６００を所持するユーザのコンテンツ閲覧履歴６２１を優先的に用いて、表示装置１００に表示させるコンテンツを決定してもよい。例えば、コンテンツ決定部５１２は、距離が最小ではない通信端末６００を所持するユーザのコンテンツ閲覧履歴６２１を除外して、表示装置１００に表示させるコンテンツを決定してもよい。
【００７８】
あるいは、コンテンツ決定部５１２は、通信制御装置２００から送信された無線信号の受信強度が最大となる通信端末６００を所持するユーザのコンテンツ閲覧履歴６２１を優先的に用いて、表示装置１００に表示させるコンテンツを決定してもよい。例えば、コンテンツ決定部５１２は、受信強度が最大ではない通信端末６００を所持するユーザのコンテンツ閲覧履歴６２１を除外して、表示装置１００に表示させるコンテンツを決定してもよい。
【００７９】
出力制御部５１３は、通信端末６００が接続された通信制御装置２００に接続された表示制御装置３００に、コンテンツ決定部５１２により決定されたコンテンツを識別するためのコンテンツＩＤと再生開始位置とを通知する（ステップＳ６）。なお、出力制御部５１３は、コンテンツ決定部５１２によりコンテンツと再生開始位置とのうちのいずれか一方のみが決定された場合には、当該一方のみを表示制御装置３００に通知してもよい。
【００８０】
出力制御部５１３は、表示制御装置３００への通知とともに装置別データ５２２を更新してもよい。より詳細には、出力制御部５１３は、通知先の表示制御装置３００を識別するための表示制御装置ＩＤとこの表示制御装置３００に通知したコンテンツＩＤと現在時刻と通信端末６００を識別するための通信端末ＩＤとが関連付けられた情報を装置別データ５２２に追加することができる。
【００８１】
続いて、制御部５１０は、通信制御装置２００に通信端末６００が接続されている状態が継続しているか否かを判断し（ステップＳ７）、当該状態が継続している場合には（ステップＳ７で「Ｙｅｓ」）、ステップＳ８に進む。ここで、例えば、通信制御装置２００から通信端末６００が切断された場合に通信端末６００から通信制御装置２００を介して切断要求がコンテンツ制御装置５００に通知されれば、制御部５１０は、切断要求が通知されたか否かによって通信制御装置２００から通信端末６００が切断されたか否かを判断できる。あるいは、制御部５１０は、通信端末６００に対する何らかのデータ送信が失敗に終わったか否かによって通信制御装置２００から通信端末６００が切断されたか否かを判断することも可能である。
【００８２】
出力制御部５１３は、再生開始時刻に基づいて現在の再生位置を算出し（ステップＳ８）、コンテンツＩＤと現在の再生位置とを通信端末６００に通知し（ステップＳ９）、ステップＳ７に戻る。より詳細には、出力制御部５１３は、現在時刻から装置別データ５２２に含まれる再生開始時刻を減じて再生開始位置を加算することにより現在の再生位置を算出することが可能である。
【００８３】
一方、制御部５１０は、通信制御装置２００に通信端末６００が接続されている状態が継続していない場合には（ステップＳ７で「Ｎｏ」）、動作を終了する。
【００８４】
以上、本発明の実施形態に係るコンテンツ制御装置５００の動作の流れの例について説明した。
【００８５】
続いて、本発明の実施形態に係る通信端末６００の動作の流れの例について説明する。図１０は、本発明の実施形態に係る通信端末６００の動作の流れの例を示す図である。なお、図１０に示した動作の流れの例は、通信端末６００の動作の流れの例に過ぎないため、通信端末６００の動作は、図１０に示した例に限定されないことは言うまでもない。
【００８６】
まず、図１０に示すように、通信端末６００の位置検出部６１１は、通信端末６００の位置を検出する（ステップＳ１１）。位置検出部６１１による位置の検出は、例えば、ＧＰＳ（Ｇｌｏｂａｌ  Ｐｏｓｉｔｉｏｎｉｎｇ  Ｓｙｓｔｅｍ）機能によりなされてもよい。そして、接続処理部６１２は、通信端末６００の位置に基づいて接続相手の通信制御装置２００を特定する（ステップＳ１２）。ここで、接続相手を特定する手法は特に限定されない。
【００８７】
例えば、接続処理部６１２は、ＮＦＣ（Ｎｅａｒ  Ｆｉｅｌｄ  Ｃｏｍｍｕｎｉｃａｔｉｏｎ）などの無線通信技術により通信制御装置２００からＳＳＩＤ（Ｓｅｒｖｉｃｅ  Ｓｅｔ  Ｉｄｅｎｔｉｆｉｅｒ）を取得し、取得したＳＳＩＤにより接続相手を特定してもよい。続いて、接続処理部６１２は、特定した通信制御装置２００に接続する（ステップＳ１３）。閲覧履歴提供部６１３は、記憶部６２０に記憶されているコンテンツ閲覧履歴６２１をコンテンツ制御装置５００に提供する（ステップＳ１４）。
【００８８】
続いて、制御部６１０は、通信制御装置２００に通信端末６００が接続されている状態が継続しているか否かを判断し（ステップＳ１５）、当該状態が継続している場合には（ステップＳ１５で「Ｙｅｓ」）、ステップＳ１６に進む。閲覧履歴更新部６１４は、コンテンツ制御装置５００から提供されたコンテンツＩＤと現在の再生位置とを用いてコンテンツ閲覧履歴６２１を更新し（ステップＳ１６）、ステップＳ１５に戻る。
【００８９】
なお、ここでは、閲覧履歴更新部６１４は、コンテンツＩＤと現在の再生位置との双方を用いてコンテンツ閲覧履歴６２１を更新することとしたが、閲覧履歴更新部６１４は、コンテンツＩＤと現在の再生位置とのうちのいずれか一方のみを用いてコンテンツ閲覧履歴６２１を更新してもよい。
【００９０】
コンテンツ閲覧履歴６２１の更新手法としては様々な手法が想定される。閲覧履歴更新部６１４は、例えば、表示されたコンテンツに関してユーザにより通信端末６００に入力された入力情報に基づいてコンテンツ閲覧履歴６２１を生成してもよい。例えば、閲覧履歴更新部６１４は、複数の表示装置１００のいずれかにより表示されたコンテンツに関してユーザにより通信端末６００に入力された入力情報に基づいて生成してもよい。
【００９１】
例えば、閲覧履歴更新部６１４は、ユーザがコンテンツを閲覧している旨を示す情報を通信端末６００に入力した場合には、コンテンツ制御装置５００から提供されたコンテンツＩＤにより識別されるコンテンツがユーザにより閲覧されていると推定してもよい。したがって、閲覧履歴更新部６１４は、入力情報が入力された時点に再生されていたコンテンツを、ユーザにより閲覧されたコンテンツとして決定してもよい。
【００９２】
例えば、閲覧履歴更新部６１４は、ユーザがコンテンツを閲覧している旨を示す情報を通信端末６００に入力した場合には、コンテンツ制御装置５００から提供されたコンテンツＩＤ（より詳細には、表示制御装置３００に再生させるコンテンツを識別するためのコンテンツＩＤとしてコンテンツ制御装置５００から表示制御装置３００に通知されたコンテンツＩＤ）をコンテンツ閲覧履歴６２１に追加してもよい。
【００９３】
また、閲覧履歴更新部６１４は、ユーザがコンテンツを閲覧している旨を示す情報を通信端末６００に入力した場合には、コンテンツ制御装置５００から提供された現在の再生位置に相当する部分がユーザにより閲覧されていると推定してもよい。したがって、閲覧履歴更新部６１４は、閲覧開始位置および閲覧終了位置のうちの少なくともいずれか一方を、コンテンツにおいて入力情報が入力された時点に再生されていた位置に基づいて決定してもよい。
【００９４】
例えば、閲覧履歴更新部６１４は、ユーザがコンテンツを閲覧している旨を示す情報を通信端末６００に入力した場合には、最初にコンテンツ制御装置５００から提供された現在の再生位置を閲覧開始位置としてコンテンツ閲覧履歴６２１に追加し、次回以降にコンテンツ制御装置５００から提供された現在の再生位置を閲覧終了位置としてコンテンツ閲覧履歴６２１に追加してもよい。閲覧履歴更新部６１４は、再生位置がコンテンツの終端に達した旨がコンテンツ制御装置５００から提供された場合には、閲覧済みフラグに「ＴＲＵＥ」を設定してもよい。
【００９５】
ユーザにより入力される入力情報の種類は特に限定されない。例えば、入力情報は、コンテンツに対するユーザの評価結果を含んでもよい。例えば、コンテンツに対する評価結果がユーザにより入力された場合には、ユーザがコンテンツを閲覧したと考えられるからである。入力情報として評価結果が入力される場合には、評価結果の内容に関わらずコンテンツ閲覧履歴６２１の更新がなされてもよいし、評価結果の内容が所定の内容である場合には、コンテンツ閲覧履歴６２１の更新はなされなくてもよい。
【００９６】
以上においては、複数の表示装置１００のいずれかにより表示されたコンテンツに関してユーザにより通信端末６００に入力された入力情報に基づいてコンテンツ閲覧履歴６２１を生成する場合を例として示した。しかし、コンテンツ閲覧履歴６２１を生成する手法は、かかる例に限定されない。例えば、閲覧履歴更新部６１４は、端末認識部５１１による通信端末６００の認識結果に基づいて、コンテンツ閲覧履歴６２１を生成してもよい。
【００９７】
例えば、閲覧履歴更新部６１４は、端末認識部５１１により認識された場合には、コンテンツ制御装置５００から提供されたコンテンツＩＤにより識別されるコンテンツがユーザにより閲覧されていると推定してもよい。したがって、閲覧履歴更新部６１４は、端末認識部５１１により認識された時点に再生されていたコンテンツを、ユーザにより閲覧されたコンテンツとして決定してもよい。
【００９８】
また、閲覧履歴更新部６１４は、端末認識部５１１により認識された場合には、コンテンツ制御装置５００から提供された現在の再生位置に相当する部分がユーザにより閲覧されていると推定してもよい。したがって、閲覧履歴更新部６１４は、閲覧開始位置および閲覧終了位置のうちの少なくともいずれか一方を、端末認識部５１１により認識された時点に再生されていた位置に基づいて決定してもよい。
【００９９】
一方、制御部６１０は、通信制御装置２００に通信端末６００が接続されている状態が継続していない場合には（ステップＳ１５で「Ｎｏ」）、動作を終了する。
【０１００】
以上、本発明の実施形態に係る通信端末６００の動作の流れの例について説明した。
【０１０１】
続いて、本発明の実施形態に係る表示制御装置３００の動作の流れの例について説明する。図１１は、本発明の実施形態に係る表示制御装置３００の動作の流れの例を示す図である。なお、図１１に示した動作の流れの例は、表示制御装置３００の動作の流れの例に過ぎないため、表示制御装置３００の動作は、図１１に示した例に限定されないことは言うまでもない。
【０１０２】
まず、制御部３１０は、コンテンツ制御装置５００からコンテンツＩＤと再生開始位置とが情報取得部３１１により取得されたか否かを判断する（ステップＳ２１）。制御部３１０は、コンテンツ制御装置５００からコンテンツＩＤと再生開始位置とが情報取得部３１１により取得されていないと判断した場合には（ステップＳ２１で「Ｎｏ」）、ステップＳ２１に戻る。
【０１０３】
一方、表示制御部３１２は、コンテンツ制御装置５００からコンテンツＩＤと再生開始位置とが情報取得部３１１により取得されたと判断した場合には（ステップＳ２１で「Ｙｅｓ」）、コンテンツＩＤにより識別されるコンテンツを再生開始位置から再生して表示装置１００に表示させ（ステップＳ２２）、動作を終了する。表示制御部３１２により再生されるコンテンツは、コンテンツ制御装置５００またはコンテンツ制御装置５００とは異なる装置からストリーミング技術を用いて随時に提供されてもよいし、表示制御装置３００のキャッシュなどにあらかじめ保存されていてもよい。
【０１０４】
なお、ここでは、情報取得部３１１がコンテンツＩＤと再生開始位置との双方を取得することとしているが、情報取得部３１１は、コンテンツＩＤと再生開始位置とのうちのいずれか一方のみを取得してもよい。例えば、表示制御部３１２は、情報取得部３１１によりコンテンツＩＤが取得された場合には、そのコンテンツＩＤにより識別されるコンテンツを再生して表示装置１００に表示させてもよい。また、例えば、表示制御部３１２は、情報取得部３１１により再生開始位置が取得された場合には、その再生開始位置からコンテンツを再生して表示装置１００に表示させてもよい。
【０１０５】
以上、本発明の実施形態に係る表示制御装置３００の動作の流れの例について説明した。
【０１０６】
［効果の説明］
以上に説明したように、本発明の実施形態によれば、表示装置１００により表示されるコンテンツを閲覧可能な位置に存在すると推定される通信端末６００を認識する端末認識部５１１と、端末認識部５１１により複数のユーザそれぞれの通信端末６００が認識された場合、複数のユーザそれぞれのコンテンツ閲覧履歴６２１に基づいて、表示装置１００に表示させるコンテンツを決定するコンテンツ決定部５１２と、を備える、コンテンツ制御装置５００が提供される。
【０１０７】
かかる構成により、複数のユーザに対して与える煩わしさを低減しつつ、当該複数のユーザに対して効果的なコンテンツを閲覧させる技術を提供することが可能となる。例えば、コンテンツ提供者は、限られた時間を効率よく利用して、より効果的なコンテンツをユーザに閲覧させることができる。また、例えば、ユーザは、ある機会に閲覧したコンテンツに関連するコンテンツを別の機会に閲覧することが可能となり、再生時間の長いコンテンツを閲覧しやすくなることが期待される。
【０１０８】
さらに、表示装置によって表示されたコンテンツをユーザが閲覧する時間の長さを、表示装置が設置された場所ごとに（あるいは、ユーザごとに）把握することも可能である。そのため、表示装置が設置された場所ごとに（あるいはユーザごとに）表示装置に表示させるコンテンツの優先度を変化させることも可能であり、より効果的にユーザにコンテンツを閲覧させることも可能となる。
【０１０９】
また、ユーザは、タッチアクションやカメラによるバーコードの撮影などといった特定のアクションをしなくても、ユーザにとって効果的なコンテンツを閲覧することができる。また、ユーザによって一度閲覧されたコンテンツを簡易版のコンテンツに編集して再度閲覧させるようにしたり、コンテンツのうち重要な部分（例えば、商品名を含む部分など）が途中から再生されないように再生時間を工夫したりすることによって、ユーザはさらに効果的なコンテンツを閲覧することができる。
【０１１０】
［変形例の説明］
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１１】
例えば、上記した例では、コンテンツ制御装置５００が他の装置からは独立した装置として存在したが、コンテンツ制御装置５００は、他の装置に組み込まれていてもよい。例えば、コンテンツ制御装置５００は、表示制御装置３００のいずれかに組み込まれていてもよい。
【０１１２】
また、ユーザを認識する機能を有するユーザ認識装置が存在してもよい。ユーザ認識装置は、表示制御装置３００に組み込まれてもよいし、表示装置１００に組み込まれていてもよいし、他の装置からは独立して存在してもよい。ユーザ認識装置は、例えば、ユーザの顔を撮影し、撮影結果に基づいてユーザがコンテンツを閲覧していた時間を特定することが可能であってもよい。そうすれば、ユーザがコンテンツを閲覧していた時間をより高精度に把握することが可能となる。
【０１１３】
例えば、コンテンツ制御装置５００のコンテンツ決定部５１２は、ユーザがコンテンツを閲覧していた時間の長さに応じて、表示制御装置３００に提供するコンテンツを変化させることも可能である。また、ユーザ認識装置が、コンテンツにおいてユーザが閲覧していた領域を特定することが可能であれば、コンテンツ決定部５１２は、例えば、その領域を加味した所定の処理（例えば、その領域を強調するなどといった処理）が施されたコンテンツを表示制御装置３００に提供することも可能である。
【０１１４】
ユーザが所持する通信端末６００の種類は特に限定されない。例えば、通信端末６００は、携帯電話であってもよいし、スマートフォンであってもよいし、タブレット端末であってもよい。通信端末６００が有する表示部６５０には、コンテンツ閲覧履歴６２１が表示されるように制御部６１０により制御されてもよい。
【０１１５】
また、表示装置１００には所有者が存在し、コンテンツにも所有者が存在する場合には、コンテンツの所有者に対して表示装置１００の所有者から課金される形態（表示装置１００の所有者に対してコンテンツの所有者が金銭の支払いを行う義務を生じさせる形態）も想定される。かかる形態においては、例えば、コンテンツの所有者は、表示装置１００の所有者に対して金銭の支払いをしてでもコンテンツを表示装置１００に表示させたいと考える場合が想定される。
【０１１６】
例えば、コンテンツ閲覧履歴６２１に基づいて推定されるターゲットユーザが、表示装置１００により表示されるコンテンツを閲覧可能な位置に存在する場合には、表示装置１００の所有者に対して金銭の支払いをしてでもコンテンツを表示装置１００に表示させたいと考える可能性がある。したがって、コンテンツ決定部５１２は、ターゲットユーザが推定される場合には、そのターゲットユーザのコンテンツ閲覧履歴から推定される嗜好に合ったコンテンツを、表示制御装置３００に提供するコンテンツとして決定してもよい。
【０１１７】
本実施形態においては、通信端末６００からコンテンツ制御装置５００に提供される情報の中にはユーザの個人情報を含めず、セキュリティに配慮することが可能である。例えば、一時的に利用可能なＳＳＩＤなどを利用することによって、限られた空間内において限られた時間帯においてのみ利用可能なコンテンツ閲覧の機会をユーザに提供することが可能となる。
【０１１８】
制御部３１０を構成する各ブロックは、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などから構成され、記憶部３２０により記憶されているプログラムがＣＰＵによりＲＡＭに展開されて実行されることにより、その機能が実現され得る。あるいは、制御部３１０を構成する各ブロックは、専用のハードウェアにより構成されていてもよいし、複数のハードウェアの組み合わせにより構成されてもよい。
【０１１９】
制御部５１０を構成する各ブロックは、例えば、ＣＰＵ、ＲＡＭなどから構成され、記憶部５２０により記憶されているプログラムがＣＰＵによりＲＡＭに展開されて実行されることにより、その機能が実現され得る。あるいは、制御部５１０を構成する各ブロックは、専用のハードウェアにより構成されていてもよいし、複数のハードウェアの組み合わせにより構成されてもよい。
【０１２０】
制御部６１０を構成する各ブロックは、例えば、ＣＰＵ、ＲＡＭなどから構成され、記憶部６２０により記憶されているプログラムがＣＰＵによりＲＡＭに展開されて実行されることにより、その機能が実現され得る。あるいは、記憶部６２０を構成する各ブロックは、専用のハードウェアにより構成されていてもよいし、複数のハードウェアの組み合わせにより構成されてもよい。
【０１２１】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１２２】
１０    コンテンツ制御システム
１００  表示装置
１１０  表示部
２００  通信制御装置
３００  表示制御装置
３１０  制御部
３１１  情報取得部
３１２  表示制御部
３２０  記憶部
３３０  通信部
４００  ネットワーク
５００  コンテンツ制御装置
５１０  制御部
５１１  端末認識部
５１２  コンテンツ決定部
５１３  出力制御部
５１４  閲覧履歴取得部
５２０  記憶部
５２１  コンテンツ情報
５２２  装置別データ
５３０  通信部
６００  通信端末
６１０  制御部
６１１  位置検出部
６１２  接続処理部
６１３  閲覧履歴提供部
６１４  閲覧履歴更新部
６２０  記憶部
６２１  コンテンツ閲覧履歴
６３０  通信部
６４０  入力部
６５０  表示部
【図１】
2014165806.tif 000003
【図２】
2014165806.tif 000004
【図３】
2014165806.tif 000005
【図４】
2014165806.tif 000006
【図５】
2014165806.tif 000007
【図６】
2014165806.tif 000008
【図７】
2014165806.tif 000009
【図８Ａ】
2014165806.tif 000010
【図８Ｂ】
2014165806.tif 000011
【図９】
2014165806.tif 000012
【図１０】
2014165806.tif 000013
【図１１】
2014165806.tif 000014